(57)【要約】【課題】贈呈者が互いに現実社会にて本人が特定されなくても、共同で受贈者に贈呈品を提供することができる商品注文システムを提供することにある。【解決手段】管理サーバ装置２００は、ネットワーク上のコミュニティが形成された場合に、当該コミュニティを各ユーザのＷｅｂページデータを介して管理するとともに、非特定構成員には、特定構成員に対して贈呈品の贈呈の可否と贈呈品の負担金などの贈呈決定情報または非特定構成員贈呈品決定情報、また、特定構成員には、贈呈品を注文する際のＵＲＬなどの接続ＩＤを含む各グループ毎に贈呈品の授受に関するデータを制御するようになっている。【選択図】  図１
2008134946.tif 000002
【特許請求の範囲】
【請求項１】
各ユーザを識別するためのユーザ識別情報に基づいて、各ユーザの決済に関する決済情報及び当該各ユーザを特定するためのユーザ情報が記憶されるデータベースと、
前記ユーザ識別情報に基づいて、所定のグループ毎に、当該グループに所属する構成員における所定のデータの送受信と前記データベースへの前記ユーザ識別情報及び各ユーザ情報の登録及び変更とを管理する管理サーバ装置と、
を有し、
前記管理サーバ装置が、
所定のタイミングにて前記ユーザ情報に基づいて一の前記グループの少なくとも一の構成員を特定構成員として特定する特定手段と、
前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信手段と、
前記贈呈決定情報に基づいて前記非特定構成員の端末装置から送信された贈呈品の提供強の可否及び前記負担金を示す非特定構成員贈呈品情報を受信する受信手段と、
一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段と、
前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力手段と、
前記受信された各非特定構成員贈呈品情報と前記各非特定構成員におけるユーザ情報に基づいて前記データベースに記憶された決済情報を基準に各非特定構成員における前記負担金を決済する決済手段と、
を備えることを特徴とする贈呈品注文システム。
【請求項２】
請求項１に記載の贈呈品注文システムにおいて、
前記決定手段が、前記贈呈品の価格を決定する際に、前記算出された負担金の合計と予め設定された複数の設定価格とを比較し、当該負担金の合計にて充足する最大の設定価格を、当該贈呈品の価格に決定することを特徴とする贈呈品注文システム。
【請求項３】
請求項２に記載の贈呈品注文システムにおいて、
前記決定手段が、
前記負担金の合計と前記最大設定価格に価格差が生じた場合には、当該生じた価格差を前記データベースに蓄積することを特徴とする贈呈品注文システム。
【請求項４】
請求項１乃至３の何れか一項に記載の贈呈品注文システムにおいて、
前記贈呈決定情報に前記特定構成員に対して通知する文書データを受け付けるための文書受付情報が含まれ、当該文書データが各非特定構成員贈呈品情報として受信された場合に、
前記管理サーバ装置が、前記受信された各文書データを統合して一の文書データをコメントデータとして生成する統合手段を更に備え、
前記出力手段が、前記接続情報とともに前記生成されたコメントデータを前記特定構成員の端末装置に出力することを特徴とする贈呈品注文システム。
【請求項５】
請求項１乃至４の何れか一項に記載の贈呈品注文システムにおいて、
前記送信手段が、前記負担金情報として、予め定められた複数の金額を非特定構成員に提示するための情報であって、何れか一の金額が当該非特定構成員の端末装置にて選択可能に構成された情報を送信することを特徴とする贈呈品注文システム。
【請求項６】
請求項１乃至５の何れか一項に記載の贈呈品注文システムにおいて、
前記データベースには、前記ユーザ毎に、他のユーザに閲覧させるための閲覧データが記憶され、
前記管理サーバ装置が、前記閲覧データを介して各構成員の端末装置に所定の情報の授受を制御する通信制御手段を更に備えることを特徴とする贈呈品注文システム。
【請求項７】
各ユーザを識別するためのユーザ識別情報に基づいて、各ユーザの決済に関する決済情報及び当該各ユーザを特定するためのユーザ情報がデータベースに記録され、かつ、前記ユーザ識別情報に基づいて、所定のグループ毎に、当該グループに所属する構成員における所定のデータの送受信と前記データベースへの前記ユーザ識別情報及び各ユーザ情報の登録及び変更とを管理するシステムにおいて、
前記ユーザ情報を用いて贈呈品を注文する贈呈品注文方法であって、
所定のタイミングにて前記ユーザ情報に基づいて一の前記グループの少なくとも一の構成員を特定構成員として特定する特定工程と、
前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信工程と、
前記贈呈決定情報に基づいて前記非特定構成員の端末装置から送信された贈呈品の提供強の可否及び前記負担金を示す非特定構成員贈呈品情報を受信する受信工程と、
一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定工程と、
前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力工程と、
前記受信された各非特定構成員贈呈品情報と前記各非特定構成員におけるユーザ情報に基づいて各非特定構成員における前記負担金を決済する決済工程と、
を含むことを特徴とする贈呈品注文方法。
【請求項８】
各ユーザを識別するためのユーザ識別情報に基づいて、所定のグループ毎に、当該グループに所属する構成員における所定のデータの送受信と前記データベースへの前記ユーザ識別情報及び各ユーザ情報の登録及び変更とを管理し、前記ユーザ情報を用いて贈呈品を注文する贈呈品注文システムにおけるサーバ装置であって、
所定のタイミングにて前記ユーザ情報に基づいて一の前記グループの少なくとも一の構成員を特定構成員として特定する特定手段と、
前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信手段と、
前記贈呈決定情報に基づいて前記非特定構成員の端末装置から送信された贈呈品の提供強の可否及び前記負担金を示す非特定構成員贈呈品情報を受信する受信手段と、
一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段と、
前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力手段と、
前記受信された各非特定構成員贈呈品情報と前記各非特定構成員におけるユーザ情報に基づいて、データベースに記憶された前記ユーザを特定するためのユーザ情報とともに記憶された各ユーザの決済に関する決済情報を基準に各非特定構成員における前記負担金を決済する決済手段と、
を備えることを特徴とするサーバ装置。
【請求項９】
各ユーザを識別するためのユーザ識別情報に基づいて、所定のグループ毎に、当該グループに所属する構成員における所定のデータの送受信と前記データベースへの前記ユーザ識別情報及び各ユーザ情報の登録及び変更とを管理し、前記ユーザ情報を用いて贈呈品を注文する際に用いるコンピュータにおける管理プログラムであって、
前記コンピュータを、
所定のタイミングにて前記ユーザ情報に基づいて一の前記グループの少なくとも一の構成員を特定構成員として特定する特定手段、
前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報の送信制御を行う送信制御手段、
前記贈呈決定情報に基づいて前記非特定構成員の端末装置から送信された贈呈品の提供強の可否及び前記負担金を示す非特定構成員贈呈品情報の受信制御を行う受信制御手段、
一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段、
前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置への出力制御を行う出力制御手段と、
前記受信された各非特定構成員贈呈品情報と前記各非特定構成員におけるユーザ情報に基づいて、データベースに前記ユーザを特定するためのユーザ情報とともに記憶された各ユーザの決済に関する決済情報を基準に各非特定構成員における前記負担金を決済する決済手段、
として機能させることを特徴とする管理プログラム。
【発明の詳細な説明】
【技術分野】
【０００１】
本発明は、プログラム、情報記録媒体、画像生成システムおよびデータ構造に関する。
【背景技術】
【０００２】
近年、インターネットやコンピュータなどの通信技術の発達により、インターネットを利用した商品の注文や予約などの商品を提供するための通信システム、いわゆるネットショッピングシステムが一般に普及している。
【０００３】
従来、このようなネットショッピングシステムは、例えば商品の注文を行うサーバ装置に接続させ、希望する商品を特定する他に、決済や配送先の指定など種々の情報を入力させるようになっている。
【０００４】
また、このようなネットショッピングシステムでは、友人や知人などに贈呈品を送付する際にも用いられるようになっており、特に最近では、メールアドレスなど所定の連絡手段を送付先として連絡することができれば、贈呈品の送付先を情報として注文者が入力しなくても、すなわち、贈呈品の送付先が特定されていなくても贈呈品を贈与することができるシステムも登場している（非特許文献１）。
【非特許文献１】白形屋  メールｄｅギフトのシステム説明のｗｅｂページ  ［online］、［平成１８年９月７日検索］、インターネット＜http://www.shirakataya.com/howtouse1.html＞
【発明の開示】
【発明が解決しようとする課題】
【０００５】
しかしながら、上述のネットショッピングシステムであっては、複数の贈呈者によって受贈者に贈呈品を贈る際には、予め贈呈者全員によって贈呈品を贈呈するか否かの決定、当該贈呈品の決定および決済を行う必要があり、少なくとも贈呈者同士については現実社会にて本人が特定されていないと、負担金の支払いなど贈呈品を贈呈すること自体が難しい。
【０００６】
本発明は、以上のような課題に鑑みてなされたものであり、その目的とするところは、贈呈者にあっても互いに現実社会にて本人が特定されなくても、共同で受贈者に贈呈品を提供することができる商品注文システム、商品注文方法及び商品注文プログラムなどを提供することにある。
【課題を解決するための手段】
【０００７】
上記の課題を解決するために、請求項１に記載の発明は、各ユーザを識別するためのユーザ識別情報に基づいて、各ユーザの決済に関する決済情報及び当該各ユーザを特定するためのユーザ情報が記憶されるデータベースと、前記ユーザ識別情報に基づいて、所定のグループ毎に、当該グループに所属する構成員における所定のデータの送受信と前記データベースへの前記ユーザ識別情報及び各ユーザ情報の登録及び変更とを管理する管理サーバ装置と、を有し、前記管理サーバ装置が、所定のタイミングにて前記ユーザ情報に基づいて一の前記グループの少なくとも一の構成員を特定構成員として特定する特定手段と、前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信手段と、前記贈呈決定情報に基づいて前記非特定構成員の端末装置から送信された贈呈品の提供強の可否及び前記負担金を示す非特定構成員贈呈品情報を受信する受信手段と、一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段と、前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力手段と、前記受信された各非特定構成員贈呈品情報と前記各非特定構成員におけるユーザ情報に基づいて前記データベースに記憶された決済情報を基準に各非特定構成員における前記負担金を決済する決済手段と、を備える構成を有している。
【０００８】
この構成により、請求項１に記載の発明は、各非特定構成員の決済情報およびユーザ情報については、データベースに記録されており、各非特定構成員毎に負担金の決済を行うことができるとともに、非特定構成員の負担金によって決定された贈呈品の価格に基づいて贈呈品の注文を行うための接続識別情報を提供することができる。
【０００９】
したがって、請求項１に記載の発明は、特定構成員が当該接続識別情報に基づいて贈呈品の注文を行った場合に、注文サーバ装置において当該識別情報に含まれる価格情報に基づいて贈呈品の注文を可能に構成することにより、構成員同士が現実社会にて互いに本人特定が為されていない場合であっても、共同で受贈者となる特定構成員に贈呈品を提供することができる。
【００１０】
また、請求項２に記載の発明は、請求項１に記載の贈呈品注文システムにおいて、前記決定手段が、前記贈呈品の価格を決定する際に、前記算出された負担金の合計と予め設定された複数の設定価格とを比較し、当該負担金の合計にて充足する最大の設定価格を、当該贈呈品の価格に決定する構成を有している。
【００１１】
この構成により、請求項２に記載の発明は、予め設定された設定価格を基準として贈呈品の注文を行うための接続情報を提供することができるので、注文サーバ装置における贈呈品を設定価格毎に準備することにより、特定構成員が贈呈品を容易に注文可能で、かつ、接続情報を含めて注文する際のシステムをも容易に構築することができる。
【００１２】
また、請求項３に記載の発明は、請求項２に記載の贈呈品注文システムにおいて、前記決定手段が、前記負担金の合計と前記最大設定価格に価格差が生じた場合には、当該生じた価格差を前記データベースに蓄積する構成を有している。
【００１３】
この構成により、請求項３に記載の発明は、前記負担金の合計と前記最大設定価格の価格差を金銭として取り扱うことによって、当該金銭情報を寄付などのその他の用途に用いることができる。
【００１４】
また、請求項４に記載の発明は、請求項１乃至３の何れか一項に記載の贈呈品注文システムにおいて、前記贈呈決定情報に前記特定構成員に対して通知する文書データを受け付けるための文書受付情報が含まれ、当該文書データが各非特定構成員贈呈品情報として受信された場合に、前記管理サーバ装置が、前記受信された各文書データを統合して一の文書データをコメントデータとして生成する統合手段を更に備え、前記出力手段が、前記接続情報とともに前記生成されたコメントデータを前記特定構成員の端末装置に出力する構成を有している。
【００１５】
この構成により、請求項４に記載の発明は、特定構成員に対して贈呈品の贈呈を行う際に、併せて各非特定構成員のコメントをデータとして提供するので、非特定構成員の気持ちをも贈呈品に添えることができる。
【００１６】
また、請求項５に記載の発明は、請求項１乃至４の何れか一項に記載の贈呈品注文システムにおいて、前記送信手段が、前記負担金情報として、予め定められた複数の金額を非特定構成員に提示するための情報であって、何れか一の金額が当該非特定構成員の端末装置にて選択可能に構成された情報を送信する構成を有している。
【００１７】
この構成により、請求項５に記載の発明は、非特定構成員においては、予め設定された金額のみ選択すれば負担金として管理サーバ装置に送信されるので、非特定構成員に対して容易に負担金の選択を可能にする。
【００１８】
また、請求項６に記載の発明は、請求項１乃至５の何れか一項に記載の贈呈品注文システムにおいて、前記データベースには、前記ユーザ毎に、他のユーザに閲覧させるための閲覧データが記憶され、前記管理サーバ装置が、前記閲覧データを介して各構成員の端末装置に所定の情報の授受を制御する通信制御手段を更に備える構成を有している。
【００１９】
この構成により、請求項６に記載の発明は、例えば、ネットワークを用いたコミュニティなど、構成員間にて互いに各構成員の端末装置に閲覧データを提供するこによって構築されるグループにおいて、当該贈呈品の提供を行うことができるので、ネットワーク利用の活性化を図ることができる。
【００２０】
上記の課題を解決するために、請求項７に記載の発明は、各ユーザを識別するためのユーザ識別情報に基づいて、各ユーザの決済に関する決済情報及び当該各ユーザを特定するためのユーザ情報がデータベースに記録され、かつ、前記ユーザ識別情報に基づいて、所定のグループ毎に、当該グループに所属する構成員における所定のデータの送受信と前記データベースへの前記ユーザ識別情報及び各ユーザ情報の登録及び変更とを管理するシステムにおいて、前記ユーザ情報を用いて贈呈品を注文する贈呈品注文方法であって、所定のタイミングにて前記ユーザ情報に基づいて一の前記グループの少なくとも一の構成員を特定構成員として特定する特定工程と、前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信工程と、前記贈呈決定情報に基づいて前記非特定構成員の端末装置から送信された贈呈品の提供強の可否及び前記負担金を示す非特定構成員贈呈品情報を受信する受信工程と、一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定工程と、前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力工程と、前記受信された各非特定構成員贈呈品情報と前記各非特定構成員におけるユーザ情報に基づいて各非特定構成員における前記負担金を決済する決済工程と、を含む構成を有している。
【００２１】
この構成により、請求項７に記載の発明は、各非特定構成員の決済情報およびユーザ情報については、データベースに記録されており、各非特定構成員毎に負担金の決済を行うことができるとともに、非特定構成員の負担金によって決定された贈呈品の価格に基づいて贈呈品の注文を行うための接続識別情報を提供することができる。
【００２２】
したがって、請求項７に記載の発明は、特定構成員が当該接続識別情報に基づいて贈呈品の注文を行った場合に、注文サーバ装置において当該識別情報に含まれる価格情報に基づいて注文可能に構成することにより、構成員同士が現実社会にて互いに本人特定が為されていない場合であっても、共同で受贈者となる特定構成員に贈呈品を提供することができる。
【００２３】
上記の課題を解決するために、請求項８に記載の発明は、各ユーザを識別するためのユーザ識別情報に基づいて、所定のグループ毎に、当該グループに所属する構成員における所定のデータの送受信と前記データベースへの前記ユーザ識別情報及び各ユーザ情報の登録及び変更とを管理し、前記ユーザ情報を用いて贈呈品を注文する贈呈品注文システムにおけるサーバ装置であって、所定のタイミングにて前記ユーザ情報に基づいて一の前記グループの少なくとも一の構成員を特定構成員として特定する特定手段と、前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報を送信する送信手段と、前記贈呈決定情報に基づいて前記非特定構成員の端末装置から送信された贈呈品の提供強の可否及び前記負担金を示す非特定構成員贈呈品情報を受信する受信手段と、一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段と、前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置に出力する出力手段と、前記受信された各非特定構成員贈呈品情報と前記各非特定構成員におけるユーザ情報に基づいて、データベースに記憶された前記ユーザを特定するためのユーザ情報とともに記憶された各ユーザの決済に関する決済情報を基準に各非特定構成員における前記負担金を決済する決済手段と、を備える構成を有している。
【００２４】
この構成により、請求項８に記載の発明は、各非特定構成員の決済情報およびユーザ情報については、データベースに記録されており、各非特定構成員毎に負担金の決済を行うことができるとともに、非特定構成員の負担金によって決定された贈呈品の価格に基づいて贈呈品の注文を行うための接続識別情報を提供することができる。
【００２５】
したがって、請求項８に記載の発明は、特定構成員が当該接続識別情報に基づいて贈呈品の注文を行った場合に、注文サーバ装置において当該識別情報に含まれる価格情報に基づいて注文可能に構成することにより、構成員同士が現実社会にて互いに本人特定が為されていない場合であっても、共同で受贈者となる特定構成員に贈呈品を提供することができる。
【００２６】
上記の課題を解決するために、請求項９に記載の発明は、各ユーザを識別するためのユーザ識別情報に基づいて、所定のグループ毎に、当該グループに所属する構成員における所定のデータの送受信と前記データベースへの前記ユーザ識別情報及び各ユーザ情報の登録及び変更とを管理し、前記ユーザ情報を用いて贈呈品を注文する際に用いるコンピュータにおける管理プログラムであって、前記コンピュータを、所定のタイミングにて前記ユーザ情報に基づいて一の前記グループの少なくとも一の構成員を特定構成員として特定する特定手段、前記特定構成員以外の前記グループの構成員を示す非特定構成員の各端末装置に、前記特定構成員に対して贈呈品の提供の可否を示す贈呈品可否情報及び当該贈呈品における非特定構成員の負担金を決定するための負担金情報を少なくとも含む贈呈決定情報の送信制御を行う送信制御手段、前記贈呈決定情報に基づいて前記非特定構成員の端末装置から送信された贈呈品の提供強の可否及び前記負担金を示す非特定構成員贈呈品情報の受信制御を行う受信制御手段、一の非特定構成員贈呈情報に前記贈呈品を提供する旨の情報が含まれている場合には、前記特定構成員に贈呈品を贈呈すると決定するとともに、前記各非特定構成員贈呈品情報を集計して前記負担金の合計を算出し、前記特定構成員に贈呈する贈呈品の価格を決定する決定手段、前記贈呈品を前記特定構成員に提供すると決定され、かつ、当該贈呈品の価格が決定された場合に、当該贈呈品の価格を示す価格情報を有するとともに商品の注文を行う注文サーバ装置に接続するため識別情報を接続識別情報として前記特定構成員の端末装置への出力制御を行う出力制御手段と、前記受信された各非特定構成員贈呈品情報と前記各非特定構成員におけるユーザ情報に基づいて、データベースに前記ユーザを特定するためのユーザ情報とともに記憶された各ユーザの決済に関する決済情報を基準に各非特定構成員における前記負担金を決済する決済手段、として機能させる構成を有している。
【００２７】
この構成により、請求項９に記載の発明は、各非特定構成員の決済情報およびユーザ情報については、データベースに記録されており、各非特定構成員毎に負担金の決済を行うことができるとともに、非特定構成員の負担金によって決定された贈呈品の価格に基づいて贈呈品の注文を行うための接続識別情報を提供することができる。
【００２８】
したがって、請求項９に記載の発明は、特定構成員が当該接続識別情報に基づいて贈呈品の注文を行った場合に、注文サーバ装置において当該識別情報に含まれる価格情報に基づいて注文可能に構成することにより、構成員同士が現実社会にて互いに本人特定が為されていない場合であっても、共同で受贈者となる特定構成員に贈呈品を提供することができる。
【発明を実施するための最良の形態】
【００２９】
次に、本発明に好適な実施の形態について、図面に基づいて説明する。
【００３０】
以下に説明する実施の形態は、ネットワークを用いたコミュニティなど、所定のグループ間にて互いに各ユーザの端末装置に提供するｗｅｂページを構成するリソースデータ（以下、「ｗｅｂページデータ」という。）を閲覧データとして記憶し、および、当該閲覧データの管理を行い、当該閲覧データを介してグループ間の親交を図るコミュニティネットワークシステムに対して本願の贈呈品注文システムおよびサーバ装置を適用した場合の実施形態である。
【００３１】
まず、図１を用いて本願のコミュニティネットワークシステムの構成について説明する。なお、図１は、本願に係るネットワークシステムの構成を示す構成図である。
【００３２】
本実施形態のコミュニティネットワークシステムＳは、図１に示すように、複数の端末装置１００と、各ユーザを識別するためのユーザ識別情報に基づいて各ユーザのＷｅｂページデータ、各ユーザの決済に関する決済情報および当該各ユーザを特定するためのユーザ情報の記憶および管理を行う管理サーバ装置２００と、後述する贈呈品を注文する際に注文処理を行う注文サーバ装置３００と、管理サーバ装置２００と連動して決済を行う決済サーバ装置４００と、から構成される。
【００３３】
なお、各端末装置１００、管理サーバ装置２００、注文サーバ装置３００および決済サーバ装置４００は、電話公衆網回線またはインターネットなどネットワークを介して互いに接続されている。
【００３４】
各端末装置１００は、ＰＣ（Personal Computer）やＰＤＡ（Personal Digital Assistants）、携帯用電話機等の通信端末装置１００にて構成され、リソースデータにて構築されているＷｅｂページデータを読み込んで閲覧するためのアプリケーションプログラム（以下、「ブラウザ」という。）を搭載している。
【００３５】
特に、各端末装置１００は、このブラウザを起動させ、ユーザ識別情報に基づいて、端末装置１００を操作するユーザを含む、管理サーバ装置２００に記憶される各ユーザのＷｅｂページデータを取得し、当該各端末装置１００が備えるモニタなどの画面に当該Ｗｅｂページデータを表示するようになっている。
【００３６】
また、各端末装置１００は、このブラウザにより提供される機能を利用して、Ｗｅｂページデータの生成および変更と、当該Ｗｅｂページデータを介して他のユーザに対するメッセージの通知などを行うことができるようになっている。
【００３７】
管理サーバ装置２００は、各種のデータ形式を有するＷｅｂページデータを保有するサーバ装置であり、所定の通信規格に対応して種々のデータ通信を行うサーバ装置である。
【００３８】
また、この管理サーバ装置２００は、Ｗｅｂページデータを、他のＷｅｂページデータと識別し、ネットワーク上における格納場所を示すアドレス情報に基づいて、すなわち、ＵＲＬに基づいて、管理するとともに、当該ＵＲＬが指定されると、指定されたＵＲＬに基づいて内部に保有するＷｅｂページデータであるリソースデータを、当該ｗｅｂページデータの取得要求指令を発した端末装置１００に送信するようになっている。
【００３９】
さらに、この管理サーバ装置２００は、ユーザ毎にユーザ識別情報に基づいてＷｅｂページデータ、ユーザ情報および決済情報を管理しており、ユーザ識別情報の入力に基づいてＷｅｂページデータの閲覧、当該ｗｅｂページデータおよびその他のデータへの作成、変更またはＷｅｂページデータ上の機能の利用を行うことができるようになっている。
【００４０】
特に、本実施形態の管理サーバ装置２００は、後述するように、複数のユーザによってグループ（ネットワーク上のコミュニティ）が形成された場合に、当該グループを各ユーザのＷｅｂページデータを介して管理するとともに、後述する贈呈決定情報、非特定構成員贈呈品情報および注文サーバ装置３００への接続情報（以下、「接続ＩＤ」という。）を含む各グループ毎に贈呈品の授受に関するデータの送受信制御を行うようになっている。
【００４１】
なお、本実施形態における管理サーバ装置２００の構成およびその動作の詳細については、後述する。
【００４２】
注文サーバ装置３００は、後述する接続ＩＤと端末装置１００のブラウザ機能に基づいて、端末装置１００の操作を基準に、贈呈品の選択、注文および発送の各管理を行うとともに、贈呈品の注文時に管理サーバ装置２００とユーザ情報の授受を行うようになっている。
【００４３】
また、本実施形態の注文サーバ装置３００は、非特定構成員のユーザにて決定される負担金額に併せて、予め設定された贈呈品価格毎に贈呈品のリストをＷｅｂページデータとして閲覧可能に記憶してあり、接続ＩＤに基づいて贈呈品価格の情報を取得すると、当該取得した贈呈品価格に合致するＷｅｂページデータを端末装置１００に提供するようになっている。
【００４４】
決済サーバ装置４００は、贈呈品が提供される特定のユーザ（後述する特定構成員のユーザ）に贈呈品の提供を希望したユーザ（後述する非特定構成員のユーザ）に対して、管理サーバ装置２００と連動し、すなわち、管理サーバ装置２００に記憶されている各ユーザに関する決済情報に基づいて、決済の実行を制御するようになっている。
【００４５】
次に、図２を用いて本実施形態のコミュニティネットワークシステムＳにおけるシステム概要について管理サーバ装置２００を基準に説明する。なお、図２は、本実施形態のコミュニティネットワークシステムＳにおけるシステム概要を説明するための図である。
【００４６】
本実施形態の管理サーバ装置２００は、図２に示すように、カレンダー機能を有するタイマに連動しつつ、登録された各ユーザ情報に基づいてユーザ毎に記念日を管理するようになっている。
【００４７】
そして、この管理サーバ装置２００は、登録された記念日の所定の日前に、当該記念日が登録されているユーザ（以下、「特定構成員のユーザ」という。）と同一グループを構成するユーザ（以下、「非特定構成員のユーザ」という。）に対して、当該特定構成員のユーザにおける記念日を含む贈呈決定情報を、非特定構成員のユーザにおけるＷｅｂページデータに、または、当該非特定構成員のユーザにおけるユーザ情報として予め登録された電子メールアドレスに通知するようになっている。
【００４８】
特に、本実施形態の管理サーバ装置２００は、記念日に関する情報の他に、贈呈品の贈呈の可否、贈呈品を贈呈する場合の負担金および特定構成員のユーザへのコメントを端末装置１００にて選択可能（書き込み可能）に各ユーザのＷｅｂページ上に形成するためのリソースデータ、または、電子メールにて当該各ユーザに贈呈の可否、負担金およびコメントを選択（書き込み）させるＷｅｂページにアクセスするためのリソースデータを、贈呈決定情報として各ユーザのＷｅｂページデータまたは電子メールアドレスに通知するようになっている。
【００４９】
なお、各端末装置１００は、贈呈決定情報の通知を受けたＷｅｂページデータを表示する際には当該Ｗｅｂページ上に、または、電子メールにて贈呈決定情報の通知を受けた場合には当該電子メールを閲覧するためのメールプログラムを介して指定のＷｅｂページ上に、記念日に関する情報、贈呈品を特定構成員のユーザに贈呈するか否か、贈呈品の負担金額および特定構成員のユーザへのコメントを非特定構成員に選択可能または書き込み可能に表示するようになっている。
【００５０】
そして、この各端末装置１００は、各ユーザのＷｅｂページデータを介して贈呈品を特定構成員のユーザに贈呈するか否かを示す情報（以下、「可否情報」という。）、各非特定構成員のユーザが負担する負担金の情報（以下、「負担金決定情報」という。）および書き込まれたコメントの情報（以下、「コメント情報」という。）を非特定構成員贈呈品情報として管理サーバ装置２００に送信するようになっている。
【００５１】
一方、本実施形態の管理サーバ装置２００は、各非特定構成員のユーザのＷｅｂページデータから非特定構成員贈呈品情報を受信すると、グループ内の何れかの非特定構成員贈呈品情報に、贈呈品を特定構成員のユーザに贈呈する旨を示す情報が含まれるか否かを判断し、一以上の非特定構成員における非特定構成員贈呈品情報に当該情報が含まれていると判断した場合には、特定構成員のユーザの記念日に贈呈品を贈呈する旨を決定するようになっている。
【００５２】
また、この管理サーバ装置２００は、各非特定構成員のユーザのＷｅｂページデータから非特定構成員贈呈品情報を受信すると、各非特定構成員のユーザの負担金額を決済させるために、当該受信した非特定構成員贈呈品情報に基づいて、予め登録されている各非特定構成員のユーザの決済情報（例えば、氏名やクレジット番号など）を決済サーバ装置４００に提供するようになっている。
【００５３】
他方、この管理サーバ装置２００は、特定構成員のユーザの記念日に贈呈品を贈呈する旨を決定すると、当該各非特定構成員贈呈品情報における負担金額を合計して、贈呈品の価格（以下、「贈呈品価格」という。）を決定し、記念日の日に当該贈呈品価格の情報を含む接続ＩＤを特定構成員のユーザのＷｅｂページデータ上にまたはユーザ情報として予め登録された電子メールアドレスに通知するようになっている。
【００５４】
また、この管理サーバ装置２００は、特定構成員のユーザの記念日に贈呈品を贈呈する旨を決定すると、当該各非特定構成員贈呈品情報に含まれるコメント情報を統合して寄せ書き的な文書データ（以下、「寄せ書きデータ」という。）を生成し、当該生成された寄せ書きデータを接続ＩＤとともに、特定構成員のユーザのＷｅｂページデータ上にまたはユーザ情報として予め登録された電子メールアドレスに通知するようになっている。
【００５５】
なお、特定構成員のユーザの端末装置１００は、この接続ＩＤに基づいて注文サーバ装置３００に接続すると、当該接続ＩＤに含まれる贈呈品価格に該当する贈呈品の一覧を示すＷｅｂページデータを受信し、特定構成員のユーザに当該贈呈品の一覧を閲覧させ、かつ、選択させることができるようになっている。
【００５６】
上記に加えて、本実施形態の管理サーバ装置２００は、注文サーバ装置３００にて贈呈品の注文が行われると、注文された際の接続ＩＤなど注文を行った特定構成員のユーザを特定するための情報を当該注文サーバ装置３００から受信し、当該受信した注文サーバ装置３００に基づいて特定構成員のユーザの住所および氏名などのユーザ情報を当該注文サーバ装置３００に提供するようになっている。
【００５７】
次に、図３を用いて本実施形態における管理サーバ装置２００の構成について説明する。なお、図３は、本実施形態における管理サーバ装置２００の構成を示す構成図である。
【００５８】
本実施形態の管理サーバ装置２００は、上述のような処理を行うため、図３に示すように、ネットワークを介してデータ通信を行う通信制御部２１０と、ユーザ識別情報毎に各ユーザのＷｅｂページデータ、ユーザ情報および決済情報が記憶されるデータベース２２０と、各処理および各部の制御を行うシステム制御部２３０と、を備えている。
【００５９】
そして、本実施形態の管理サーバ装置２００は、各ユーザのＷｅｂページデータを管理するＷｅｂページ管理部２４０と、カレンダー機能を有するタイマを有し、各ユーザ情報に基づいて各ユーザの記念日を判定する記念日判定部２５０と、各ユーザの記念日に従って贈呈決定情報を生成する贈呈決定情報生成部２６０と、を有している。
【００６０】
また、この管理サーバ装置２００は、各構成員の非特定構成員贈呈品情報に基づいて贈呈品の可否、負担金の集計および寄せ書きデータの生成を行う贈呈決定部２７０と、接続ＩＤを生成する接続ＩＤ生成部２８０と、ユーザ情報の管理および注文サーバ装置３００または決済サーバ装置４００にユーザ情報の出力制御を行うユーザ情報管理部２９０と、を有している。
【００６１】
なお、例えば、本実施形態の記念日判定部２５０は、本発明の特定手段を構成し、贈呈決定情報生成部２６０は、本発明の送信手段を構成する。また、例えば、本実施形態のｗｅｂページ管理部は、本発明の受信手段を構成し、贈呈決定部２７０は、本発明の決定手段を構成する。さらに、例えば、本実施形態の接続ＩＤ生成部２８０は、本発明の出力手段を構成し、ユーザ情報管理部２９０は、本発明の決済手段を構成する。
【００６２】
通信制御部２１０は、電話公衆網回線またはインターネットなどのネットワークＮに接続されるようになっており、システム制御部２３０の制御の下、端末装置１００、注文サーバ装置３００または決済サーバ装置４００との通信回線を確立し、種々のデータの通信および当該データ通信に関する通信を行うようになっている。
【００６３】
具体的には、この通信制御部２１０は、ＨＴＴＰなどの通信規格に対応して種々のデータ通信を行うようになっている。具体的には、この通信制御部２１０は、端末装置１００とは、ユーザ識別情報および当該端末装置１００からの指示に基づいて、ＨＴＭＬなどのマークアップ言語形式によって構成されたＷｅｂページデータの送受信を行うとともに、注文サーバ装置３００および決済サーバ装置４００とは、ユーザ情報または決済情報を含む各種のデータの送受信を行うようになっている。
【００６４】
データベース２２０は、管理サーバ装置２００が保有するＷｅｂページデータをＵＲＬおよびユーザ識別情報に対応付けて格納するためのデータベースであり、ｗｅｂページ管理部２４０の制御の下、端末装置１００を介して入力されたユーザ識別情報に基づいて、ＵＲＬに対応するＷｅｂページデータを抽出して通信制御部２１０に出力するようになっている。
【００６５】
特に、本実施形態のデータベース２２０には、他のユーザに対して閲覧可能に各ユーザのＷｅｂページデータが記憶されており、Ｗｅｂページ管理部２４０の制御の下、各端末装置１００に特定されたＷｅｂページデータを出力するようになっている。
【００６６】
一方、本実施形態のデータベース２２０は、ユーザ情報、決済情報および各ユーザが属しているグループの構成員の情報（以下、「構成員情報」という。）をユーザ識別情報に対応付けて格納するためのデータベースでもあり、Ｗｅｂページ管理部２４０およびユーザ情報管理部２９０の制御の下、該当するユーザ情報および決済情報を通信制御部２１０に出力し、または、構成員情報を適宜贈呈決定情報生成部２６０に出力するようになっている。
【００６７】
システム制御部２３０は、例えば、ＣＰＵ、ＲＯＭ、ＲＡＭおよびハードディスクを有し、管理サーバ装置２００の各部を制御するようになっている。特に、ＲＯＭには、管理サーバ装置２００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【００６８】
Ｗｅｂページ管理部２４０は、データベース２２０に記憶されている各ユーザ毎のＷｅｂページデータの閲覧、登録、変更、削除など各端末装置１００への転送をも含めて管理を行うようになっている。
【００６９】
また、このＷｅｂページ管理部２４０は、決定された贈呈決定情報と、生成された接続ＩＤおよび寄せ書きデータを該当するユーザのＷｅｂページに、端末装置１００にて閲覧可能に組み込むための処理を行うようになっている。
【００７０】
具体的には、Ｗｅｂページ管理部２４０は、贈呈決定情報生成部２６０にて非特定構成員のユーザについて贈呈決定情報が生成されると、当該非特定構成員のユーザ識別情報に基づいて当該非特定構成員のユーザのＷｅｂページデータを特定し、特定されたＷｅｂページデータの所定の位置に、該当する特定構成員のユーザの記念日が所定の日にあたること、この特定構成員のユーザに対して贈呈品を贈呈するか否か、および、贈呈品を贈呈する場合には、贈呈品に対する負担金の額を選択可能に表示するためのデータをリソースデータとして組み込み、データベース２２０に記憶するようになっている。
【００７１】
特に、本実施形態のＷｅｂページ管理部２４０は、負担金の額を入力するためのリソースデータとしては、「２５０円」または「５００円」など、予め定められた金銭の選択が可能であって、「口数」も選択可能に形成されるデータをＷｅｂページに組み込むようになっている。
【００７２】
一方、このＷｅｂページ管理部２４０は、各ユーザのＷｅｂページが贈呈決定情報など、所定の情報の追加や削除または他のユーザにおける閲覧が実行された場合に、その旨を各ユーザ情報として登録されているメールアドレスに通知するようになっている。
【００７３】
また、このＷｅｂページ管理部２４０は、各ユーザ毎に所属するグループの登録、削除及び変更などの管理を行うようになっている。そして、このＷｅｂページ管理部２４０は、各ユーザが所属するグループの各構成員のＷｅｂページ同士をリンクさせる制御を行うとともに、各Ｗｅｂページデータにリンク可能に組み込むようになっている。
【００７４】
他方、このＷｅｂページ管理部２４０は、各ユーザのＷｅｂページに組み込まれた贈呈決定情報に基づいて当該Ｗｅｂページを介して特定構成員のユーザに対する贈呈の可否および贈呈を行う際の負担金の額が入力された場合に、この贈呈の可否を示す可否情報と入力された負担金の額を示す負担金情報を非特定構成員贈呈品情報として接続ＩＤ生成部２８０に出力するようになっている。
【００７５】
なお、本実施形態のＷｅｂページ管理部２４０は、上述と同様に、各ユーザのＷｅｂページデータに対して、贈呈決定情報や接続ＩＤまたは構成員の変更など各ユーザの操作以外によってＷｅｂページ上に各種の情報が追加された場合に、その旨を、特定構成員のユーザ情報を参照しつつ、当該特定構成員のユーザのメールアドレスに通知するようになっている。
【００７６】
記念日判定部２５０は、カレンダー機能を有するタイマと各ユーザ情報に基づいて、毎日所定の時間（例えば午前０時）に今日（すなわち、判定日）が当該ユーザ情報として記録された記念日の所定の日数前（例えば、１週間前）であるか否かを判定し、判定日が記念日の所定の日数前に該当する場合には、判定された記念日を有するユーザと同一のグループに属する構成員の情報を贈呈決定情報生成部２６０に出力するようになっている。
【００７７】
なお、本実施形態の各ユーザ情報には、記念日として、ユーザの誕生日や結婚記念日などの各記念日が登録可能であるとともに、登録された各記念日は、ユーザのＷｅｂページデータまたは同一のグループの構成員におけるＷｅｂページデータに閲覧可能に登録されている。
【００７８】
贈呈決定情報生成部２６０は、記念日判定部２５０が所定のユーザにおいて、判定日が記念日の所定の日数前であると判定した場合には、記念日を有するユーザと当該ユーザが属するグループの構成員のユーザ情報を取得するようになっている。
【００７９】
また、この贈呈決定情報生成部２６０は、記念日を有するユーザと同一のグループに属する構成員に対して、上述のように、贈呈決定情報を生成するようになっており、生成された各構成員毎の贈呈決定情報を各構成員のＷｅｂページデータに組み込むために、Ｗｅｂページ管理部２４０に出力するようになっている。
【００８０】
贈呈決定部２７０は、上述のように各Ｗｅｂページデータにて取得した各非特定構成員贈呈品情報に含まれる可否情報に基づいて、特定構成員のユーザに対する贈呈品の贈呈の可否、すなｗち、当該贈呈品を贈呈すると判定した場合に、入力された各非特定構成員贈呈品情報に含まれる負担金情報を集計してその額を合計し、贈呈品価格を決定するようになっている。
【００８１】
特に、本実施形態の贈呈決定部２７０は、非特定構成員のユーザにおける可否情報の少なくとも一の情報に贈呈を行う旨が含まれている場合には、特定構成員のユーザに判定された記念日に非特定構成員のユーザから贈呈品を贈呈することを決定するようになっている。
【００８２】
また、この贈呈決定部２７０は、贈呈品の贈呈を決定すると、各非特定員贈呈品情報に含まれるコメント情報を抽出し、全てのコメント情報を所定のフォーマット形式の文書データに統合して寄せ書きデータを生成するようになっている。
【００８３】
接続ＩＤ生成部２８０は、特定構成員のユーザに対して贈呈品の贈呈を決定すると、贈呈品の価格情報、ユーザ識別情報、非特定構成員のユーザのリスト、および、注文サーバ装置３００にて注文行う際に必要なＵＲＬなどの情報が含まれる接続ＩＤを生成するようになっている。
【００８４】
そして、この接続ＩＤ生成部２８０は、生成された接続ＩＤを、寄せ書きデータとともに、特定構成員のユーザのＷｅｂページに組み込むためにＷｅｂページ管理部２４０に出力するようになっている。
【００８５】
ユーザ情報管理部２９０は、ユーザ識別情報に基づいて、Ｗｅｂページ管理部２４０と連動しつつ、各ユーザ情報の登録、変更や削除またはユーザ識別情報の変更など各ユーザ情報おおよびユーザ識別情報の管理を行うようになっている。
【００８６】
具体的には、このユーザ管理部は、各ユーザによって端末装置１００を介して入力された指示に従って、Ｗｅｂページを介してデータベース２２０に記憶されているユーザ情報の変更を実行させるようになっている。
【００８７】
また、このユーザ情報管理部２９０は、非特定構成員贈呈品情報を受信すると、当該贈呈品の贈呈した非特定構成員の決済情報を決済サーバ装置４００に送信するとともに、注文サーバ装置３００から贈呈品の注文があった旨を受信すると、贈呈品の注文を行った特定構成員のユーザ情報を注文サーバ装置３００に送信するようになっている。
【００８８】
次に、図４および図５を用いて本実施形態の管理サーバ装置２００における贈呈の決定処理および注文に関する各処理を含む贈呈品管理処理について説明する。
【００８９】
なお、図４および図５は、本実施形態の管理サーバ装置２００における贈呈品管理処理を示すフローチャートである。
【００９０】
以下の本動作の説明では、複数のユーザにおけるユーザ情報、決済情報およびＷｅｂページデータが、予め管理サーバ装置２００にユーザ識別情報に基づいて記憶されているものとし、各ユーザにおいて複数のユーザからなるグループがコミュニティとしてデータベース２２０に登録されているものとする。
【００９１】
また、本動作は、決定情報、非特定構成員贈呈品情報、接続ＩＤおよび寄せ書きデータについては、Ｗｅｂページデータ上にて閲覧可能に構成される、すなわち、Ｗｅｂページデータを用いて特定構成員または非特定構成員のユーザに通知する方法について説明する。
【００９２】
まず、記念日判定部２５０が、所定の時刻（例えば、午前０時）を検出すると（ステップＳ１０１）、全てのユーザ情報に登録された記念日を検出し、タイマが示す日付が当該登録された記念日より所定の日数前であるか否か（すなわち、所定の日数条件に該当するか否か）を判定する（ステップＳ１０２）。
【００９３】
このとき、記念日判定部２５０が、何れのユーザ情報においても、登録された記念日において、当該判定時が登録された記念日より所定の日数前でないと判定するとシステム制御部２３０は、本動作を終了させる。
【００９４】
一方、記念日判定部２５０が、何れかまたは複数のユーザ情報に登録された記念日において、判定時が登録された記念日より所定の日数前であると判定すると、当該記念日判定部２５０は、判定された記念日を有するユーザ毎に、当該ユーザと同一のグループにおける構成員のユーザ情報を贈呈決定情報生成部２６０に出力する（ステップＳ１０３）。
【００９５】
次いで、記念日判定部２５０は、判定された記念日を有するユーザ毎に、判定時から所定時刻（例えば、３日後の午前０時）の経過を検出するために、タイマをセットして計測を開始する（ステップＳ１０４）。
【００９６】
次いで、贈呈決定情報生成部２６０は、判定された記念日を有するユーザ毎に、当該各ユーザと同一のグループに対する贈呈決定情報、すなわち、決定情報、負担金情報およびコメント情報を生成する（ステップＳ１０５）。
【００９７】
具体的には、贈呈決定情報生成部２６０は、Ｗｅｂページデータに組み込むリソースデータとして、特定構成員のユーザの記念日が近づいている旨、コメントを提供する場合にそのコメントを記載させるためのデータ、贈呈品を贈呈するか否かを選択可能に表示するデータ、および、各非特定構成員のユーザの負担金を予め設定された複数の価格から選択可能に表示するデータなどの各データを生成する。
【００９８】
次いで、贈呈決定情報生成部２６０は、生成された決定情報、負担金情報およびコメント情報を示すリソースデータを、当該リソースデータを組み込む非特定構成員のユーザ識別情報とともにＷｅｂページ管理部２４０に出力する（ステップＳ１０６）。
【００９９】
次いで、Ｗｅｂページ管理部２４０は、非特定構成員のユーザ識別情報に基づいて、生成されたリソースデータを、該当するＷｅｂページデータに組み込み、当該Ｗｅｂページデータを上書きしてデータベース２２０に記憶する（ステップＳ１０７）。
【０１００】
なお、このとき、Ｗｅｂページ管理部２４０は、該当する非特定構成員のユーザに対して自己のＷｅｂページが改訂された旨を当該非特定構成員のユーザ情報に含まれるメールアドレスに通知する。
【０１０１】
次いで、記念日判定部２５０が、ステップＳ１０４にて計測されたタイマに基づいて予め設定された所定の時刻が経過したか否かを判定する（ステップＳ１０８）。
【０１０２】
なお、ステップＳ１０８は、ステップＳ１０９およびステップＳ１１０とともに所定の時間毎に判定が実行され、所定の時刻が経過したと判定された場合には、ステップＳ１１１の処理に移行する。
【０１０３】
次いで、ステップＳ１０８において、所定の時刻が未だ経過していないと判定された場合には、Ｗｅｂページ管理部２４０は、ユーザのＷｅｂページにて特定構成員のユーザに対する贈呈の可否および贈呈を行う際の負担金の額が入力されたか否か、すなわち、非特定構成員贈呈品情報が通知されたか否かを判定する（ステップＳ１０９）。
【０１０４】
なお、Ｗｅｂページ管理部２４０は、非特定構成員贈呈品情報が通知されていないと判定された場合には、ステップＳ１０８の処理に移行し、そうでなければステップＳ１１０の処理に移行する。
【０１０５】
次いで、Ｗｅｂページ管理部２４０において、非特定構成員贈呈品情報が通知されていると判定された場合には、ユーザ情報管理部２９０は、贈呈品を贈呈する旨を示す非特定構成員贈呈情報を通知した非特定構成員についてのみ、当該非特定構成員のユーザ識別情報を読み出し、クレジットカードや氏名の情報など決済に必要な情報を決済サーバ装置４００に送信してステップＳ１０８の処理に移行する（ステップＳ１１０）。
【０１０６】
ただし、このとき、Ｗｅｂページ管理部２４０は、非特定構成員贈呈品情報が通知されているものの贈呈品の贈呈を拒否した非特定構成員については、ステップＳ１１０の処理を実行せずにステップＳ１０８の処理に移行する。
【０１０７】
次いで、贈呈決定部２７０は、特定構成員のユーザ毎に贈呈品を贈呈するか否かを決定する（ステップＳ１１１）。具体的には、贈呈決定部２７０は、特定構成員のユーザ毎に、この所定に時刻が経過されるまでに非特定構成員贈呈品情報が受信された否か、及び、受信されている場合には、少なくとも一の非特定構成員贈呈品情報に含まれる決定情報に贈呈品を贈呈する旨が示されているか否かを決定する。
【０１０８】
次に、贈呈決定部２７０は、ステップＳ１０５の処理にて生成された贈呈決定情報の対象になった少なくとも何れか一の特定構成員のユーザにおいて、ステップＳ１１１の処理にて贈呈品を贈呈する旨の決定があったか否かを判定する（ステップＳ１１２）。
【０１０９】
このとき、贈呈決定部２７０は、何れかの特定構成員のユーザに対して贈呈品の贈呈があると判定された場合には、ステップＳ１１３の処理に移行し、何れの特定構成員のユーザに対しも贈呈品の贈呈をしない場合には、本動作を終了させる。
【０１１０】
次いで、贈呈決定部２７０は、特定構成員のユーザに対して贈呈品を贈呈すると決定したグループについては、特定構成員のユーザ毎に、同一の特定構成員のユーザに属する非特定構成員贈呈品情報に含まれている負担金情報を集計して贈呈品価格を決定するとともに、当該非特定構成員贈呈品情報に含まれているコメント情報を統合して寄せ書きデータを生成する（ステップＳ１１３）。
【０１１１】
次いで、贈呈品決定部は、特定構成員のユーザ毎に、特定構成員のユーザ識別情報とともに、贈呈品価格の情報および寄せ書きデータを当該構成員毎に接続ＩＤ生成部２８０に出力する（ステップＳ１１４）。
【０１１２】
次いで、接続ＩＤ生成部２８０は、特定構成員のユーザ毎に、特定構成員のユーザ識別情報、決定された贈呈品価格情報、贈呈品の贈呈を行う非特定構成員のユーザのリストを示す情報、および、注文サーバ装置３００にて注文行う際に必要なＵＲＬに基づいて接続ＩＤを生成し、寄せ書きデータとともに、生成した接続ＩＤをＷｅｂページ管理部２４０に出力する（ステップＳ１１５）。
【０１１３】
次いで、Ｗｅｂページ管理部２４０は、入力された接続ＩＤを該当するＷｅｂページデータにリソースデータとして組み込み、当該Ｗｅｂページデータを上書きしてデータベース２２０に記憶する（ステップＳ１１６）。
【０１１４】
なお、このとき、Ｗｅｂページ管理部２４０は、該当する非特定構成員のユーザに対して自己のＷｅｂページが改訂された旨を当該非特定構成員のユーザ情報に含まれるメールアドレスに通知する。
【０１１５】
次いで、ユーザ情報管理部２９０は、注文サーバ装置３００から贈呈品を贈呈すると決定された全ての特定構成員のユーザが贈呈品を注文した旨（例えば、特定構成員が注文する際に用いた接続ＩＤ）を受信したか否か、及び、接続ＩＤの発行から所定の時間が経過したか（以下、「終了条件」という。）を判定する（ステップＳ１１７）。
【０１１６】
次いで、ユーザ管理部２９０は、終了条件が成立したと判定された場合には、特定構成員のユーザ毎に、注文サーバ装置３００から特定構成員のユーザが贈呈品を注文した旨を受信したか否かを判定する（ステップＳ１１８）。
【０１１７】
次いで、ユーザ情報管理部２９０は、注文を行った特定構成員と注文を行わなかった特定構成員とに分けて所定の処理（以下、「終了処理」という。）を行い（ステップＳ１１９）、本動作を終了させる
具体的には、ユーザ管理部２９０は、注文サーバ装置３００から贈呈品を注文した旨を受信した特定構成員のユーザに対しては、当該注文した旨とともに受信したユーザ識別情報に対応付けて記憶されているユーザ情報、例えば、住所や氏名など注文された贈呈品を送付するための情報を終了処理として注文サーバ装置３００に送信する。
【０１１８】
また、ユーザ情報管理部２９０は、所定の時間が経過するまでに注文サーバ装置３００から贈呈品を注文した旨を受信しなかった特定構成員のユーザに対しては、当該特定構成員に対して贈呈する旨の決定情報を通知した非特定構成員に当該非特定構成員のユーザ情報に基づく返金に関する処理（以下、「返金処理」という。）を終了処理として実行する。
【０１１９】
次に、図６を用いて本実施形態の端末装置１００における贈呈品決定処理について説明する。
【０１２０】
なお、図６は、本実施形態の端末装置１００における贈呈品決定処理を示すフローチャートである。
【０１２１】
以下の本動作の説明では、グループに属する他の構成員における贈呈決定情報が組み込まれたＷｅｂページデータが端末装置１００に読み込まれた場合であって、ユーザによって非特定構成員のユーザの操作に基づいて端末装置１００における非特定構成員贈呈品情報の処理について説明する。
【０１２２】
また、本動作は、決定情報および非特定構成員贈呈品情報については、Ｗｅｂページデータ上にて閲覧可能に構成される、すなわち、Ｗｅｂページデータを用いて非特定構成員のユーザに通知する方法について説明する。
【０１２３】
まず、ユーザが端末装置１００の操作部を介して当該ユーザのＷｅｂページデータの閲覧を指示すると（ステップＳ２０１）、端末装置１００は、ユーザ識別情報に基づいて、管理サーバ装置２００と通信回線を確立する（ステップＳ２０２）。
【０１２４】
このとき、管理サーバ装置２００において、Ｗｅｂページ管理部２４０が、受信したユーザ識別情報に基づいてデータベース２２０から該当するＷｅｂページデータを読み出して通信制御部２１０を介して端末装置１００に送信する。
【０１２５】
次いで、端末装置１００は、所定のブラウザ機能によって、管理サーバ装置２００から送信されたＷｅｂページデータを受信し、ユーザに閲覧可能に表示部に表示する（ステップＳ２０３）。
【０１２６】
このとき、端末装置１００は、同一のグループを構成する特定構成員のユーザにおけるユーザの記念日が近づいている旨、コメントを提供する場合にそのコメントを記載させるための表示、贈呈品を贈呈するか否かを選択可能にさせるための表示、および、各非特定構成員のユーザの負担金を予め設定された複数の価格から選択可能にさせるための表示を行う。
【０１２７】
なお、端末装置１００は、ブラウザ機能に従って、決定情報に基づく非特定構成員贈呈品情報の各表示が行われると、端末装置１００の操作部を介して種々のデータの入力を管理制御する。
【０１２８】
最後に、ユーザの操作に基づいて贈呈決定情報に基づく操作が終了した旨が入力されると（ステップＳ２０４）、端末装置１００は、ユーザの操作に基づいて特定された非特定構成員贈呈品情報を管理サーバ装置２００に送信し（ステップＳ２０５）、贈呈品決定処理における端末装置１００の処理を終了させる。
【０１２９】
具体的には、端末装置１００は、ブラウザの機能を使って、入力された贈呈品の贈呈の可否を示す可否情報、負担金を示す負担金情報および端末装置１００によって書き込まれたコメントを示すコメント情報を非特定構成員贈呈品情報として管理サーバ装置２００に送信する。
【０１３０】
次に、図７を用いて本実施形態の端末装置１００および注文サーバ装置３００における注文処理について説明する。
【０１３１】
なお、図７は、本実施形態の端末装置１００および注文サーバ装置３００における贈呈品決定処理を示すフローチャートである。
【０１３２】
以下の本動作においては、予めユーザが端末装置１００の操作部を介して当該ユーザのＷｅｂページデータの閲覧しているものとする。
【０１３３】
また、本動作は、接続ＩＤおよび寄せ書きデータについては、Ｗｅｂページデータ上にて閲覧可能に構成される、すなわち、Ｗｅｂページデータを用いて特定構成員のユーザに通知する方法について説明する。
【０１３４】
まず、端末装置１００の操作部を介して特定構成員のＷｅｂページデータに表示されている接続ＩＤが、ユーザによってクリックされた旨を検出すると（ステップＳ３０１）、端末装置１００は、例えば、ＵＲＬなどの当該接続ＩＤに示されるアドレスを有する注文サーバ装置３００に通信回線の確立を要求し（ステップＳ３０２）、当該注文サーバ装置３００との通信回線を確立する（ステップＳ３０３）。
【０１３５】
次いで、端末装置１００は、ユーザの承認を得つつ（端末装置１００の画面に所定のメッセージを表示させ、個人情報の送信の許可を得つつ）、接続ＩＤによって示される贈呈品価格の情報と特定構成員のユーザ識別情報を注文サーバ装置３００に送信する（ステップＳ３０４）。
【０１３６】
このとき、注文サーバ装置３００は、端末装置１００からの通信回線の確立要求を受信すると（ステップＳ４０１）、当該端末装置１００から送信された接続ＩＤに基づいて、贈呈品の価格を取得する（ステップＳ４０２）。
【０１３７】
次いで、この注文サーバ装置３００は、贈呈品価格とユーザ識別情報の所定の情報を受信すると（ステップＳ４０３）、取得した贈呈品の価格によって注文可能な贈呈品の一覧表をＷｅｂページデータ（以下、「リストデータ」ともいう。）として生成して端末装置１００に送信する（ステップＳ４０４）。
【０１３８】
一方、端末装置１００は、リストデータを受信すると（ステップＳ３０５）、受信した贈呈品価格の情報に基づいて、複数の贈呈可能な贈呈品リストをブラウザによって端末装置１００に表示させる（ステップＳ３０６）。
【０１３９】
最後に、端末装置１００は、ユーザの操作に基づいて一の贈呈品を決定すると（ステップＳ３０７）、当該決定された贈呈品の情報を注文サーバ装置３００に送信して（ステップＳ３０８）本動作を終了する。
【０１４０】
他方、注文サーバ装置３００は、決定された贈呈品の情報を受信すると（ステップＳ４０５）、管理サーバ装置２００と通信回線を確立して特定構成員のユーザ識別情報とともに注文が完了した旨、例えば、端末装置１００が送信した接続ＩＤを送信する（ステップＳ４０６）。
【０１４１】
このとき、管理サーバ装置２００は、上述のように、ユーザ識別情報に基づいて贈呈品の送付に必要なユーザ情報を注文サーバ装置３００に送信する。
【０１４２】
最後に、注文サーバ装置３００は、贈呈品の送付に必要なユーザ情報を受信すると（ステップＳ４０７）、当該ユーザ情報と贈呈品の情報に関して所定方法または所定の出力装置に出力して（ステップＳ４０８）本動作を終了させる。
【０１４３】
以上、本実施形態のコミュニティネットワークシステムＳは、各非特定構成員のユーザ毎に負担金の決済を行うことができるとともに、当該贈呈品の価格に基づいて特定構成員のユーザに贈呈品の注文を行うための接続ＩＤを提供することができる。
【０１４４】
したがって、本実施形態のコミュニティネットワークシステムＳは、特定構成員のユーザが当該接続ＩＤに基づいて贈呈品の注文を行った場合に、注文サーバ装置３００において当該接続ＩＤに含まれる価格情報に基づいて贈呈品の注文を可能に構成することにより、ユーザ同士が現実社会にて互いに本人特定が為されていない場合であっても、共同で受贈者となる特定構成員のユーザに贈呈品を提供することができる。
【０１４５】
また、本実施形態のコミュニティネットワークシステムＳは、予め設定された設定価格を基準として贈呈品の注文を行うための接続情報を提供することができるので、注文サーバ装置３００における贈呈品を設定価格毎に準備することにより、特定構成員が贈呈品を容易に注文可能で、かつ、接続情報を含めて注文する際のシステムをも容易に構築することができる。
【０１４６】
また、本実施形態のコミュニティネットワークシステムＳは、特定構成員のユーザに対して贈呈品の贈呈を行う際に、併せて各非特定構成員のコメントを寄せ書きデータとして提供することができるので、非特定構成員のユーザにおける気持ちをも贈呈品に添えることができる。
【０１４７】
また、本実施形態のコミュニティネットワークシステムＳは、非特定構成員のユーザにおいては、予め設定された金額のみ選択すれば負担金として管理サーバ装置２００に送信されるので、非特定構成員のユーザに対して容易に負担金の選択を可能にする。
【０１４８】
また、本実施形態のコミュニティネットワークシステムＳは、例えば、ネットワークを用いたコミュニティなど、ユーザ間にて互いに各ユーザの端末装置１００に閲覧データを提供するこによって構築されるグループにおいて、当該贈呈品の提供を行うことができるので、ネットワーク利用の活性化を図ることができる。
【０１４９】
なお、本実施形態のコミュニティネットワークシステムＳは、当該負担金額の合計を想定できるように負担金額を予め設定して非特定構成員に通知し、想定された贈呈品価格に基づいて贈呈品を注文サーバ装置３００にて提供可能に準備するようになっているが、負担金を予め決定せずに、非特定構成員のユーザにて任意に設定可能にしてもよい。
【０１５０】
特に、この場合には、管理サーバ装置２００は、注文サーバ装置３００と連動するとともに、贈呈品価格を予め段階的に複数設定し、負担金額の合計が充足する最大の贈呈品価格に贈呈品価格を決定するようにすれば、注文サーバ装置３００における贈呈品の注文処理および予め生成する贈呈品リストデータ等の負担を軽減することができる。
【０１５１】
ただし、この場合に、管理サーバ装置２００は、負担金額の合計と前記最大設定価格の価格差を金銭として取り扱い、決済サーバ装置４００と連動することによって、当該金銭情報を寄付などのその他の用途に用いるようにしてもよい。
【０１５２】
また、本実施形態の管理サーバ装置２００は、記念日判定部２５０、贈呈決定情報生成部２６０、贈呈決定部２７０、接続ＩＤ生成部２８０およびユーザ情報管理部２９０にて、端末装置１００、注文サーバ装置３００および決済サーバ装置４００と連動して、贈呈品管理処理を行うようになっているが、管理サーバ装置２００にコンピュータおよび記録媒体を備え、この贈呈品管理処理を実行する制御プログラムを格納し、このコンピュータで当該制御プログラムを読み込むことによって上述と同様の各処理を行うようにしてもよい。
【０１５３】
また、本実施形態のコミュニティネットワークシステムＳは、管理サーバ装置２００とは別に注文サーバ装置３００を設け、当該注文サーバ装置３００と端末装置１００とによって贈呈品の注文を実行するようになっているが、この注文サーバ装置３００の機能を管理サーバ装置２００に組み込み、管理サーバ装置２００と端末装置１００とによって贈呈品の注文を実行するようにしてもよい。
【０１５４】
この場合には、管理サーバ装置２００は、端末装置１００に注文させるための上記と同様な接続ＩＤを発行するようにしてもよいし、接続ＩＤを発行せずに、注文可能な商品の価格を示す価格情報または注文可能な商品のリストを通知するようにしてもよい。ただし、管理サーバ装置２００は、接続ＩＤを発行しない場合には、当該管理サーバ装置２００に対してまたは注文サーバ装置３００に対して注文可能に商品価格情報または商品リストを通知する。
【０１５５】
また、本実施形態のデータベース２２０は、管理サーバ装置２００内に設けられているが、他のサーバ装置またはネットワーク上に単独に設けられていてもよい。
【０１５６】
また、本実施形態の管理サーバ装置２００は、所定の時刻が経過する毎に、特定構成員を特定し、該当する特定構成員のグループに属する非特定構成員の全員に、贈呈決定情報を通知するようになっているが、一の非特定構成員（以下、「発起人」という。）の指示に基づいて特定構成員のグループに属するその他の非特定構成員に贈呈決定情報を通知するようにしてもよい。
【０１５７】
すなわち、本実施形態の管理サーバ装置２００は、発起人がＷｅｂページデータにて特定構成員を特定し、発起人を除く該当する特定構成員のグループに属する非特定構成員に、贈呈決定情報を通知して特定構成員に贈呈品を贈呈する贈呈管理処理を行うようにしてもよい。
【０１５８】
この場合に、管理サーバ装置２００は、発起人の指示に基づいて贈呈管理処理を開始（図４に示すステップＳ１０１およびＳ１０２を省略して非特定構成員の指示Ｗｅｂページデータ上に入力されたときに開始）し、各グループ（コミュニティ）毎に当該贈呈管理処理を実行する。
【０１５９】
また、本実施形態の管理サーバ装置２００は、発起人に基づいて贈呈管理処理を行う場合には、発起人が特定構成員を特定して贈呈管理処理を開始する際に当該特定構成員に対して贈呈品の贈呈を行う非特定構成員贈呈品情報を通知することを前提に当該指示を行うようにしてもよい。この場合には、管理サーバ装置２００は、上述の贈呈管理処理において、ステップＳ１１１およびＳ１１２の処理を省略して当該処理を実行する。
【０１６０】
また、本実施形態のコミュニティネットワークシステムＳは、特定構成員が贈呈品の注文を行った場合に、注文サーバ装置３００には管理サーバ装置２００から送信された当該特定構成員のユーザ情報に基づいて贈呈品の発送など当該贈呈品の送付に関する管理を行うようになっているが、特定構成員が贈呈品の注文を行う場合に、注文サーバ装置３００に直接登録するようにしてもよい。
【０１６１】
また、本実施形態のコミュニティネットワークＳは、特定のサーバ装置や通信端末装置にて実現するようになっているが、上述の贈呈品管理処理及び贈呈品決定処理を実行可能にＡＰＩ形式のプログラムによって提供し、他のサーバ装置やパーソナルコンピュータなどの通信端末装置を用いて実現してもよい。すなわち、種々のサーバ装置及びコンピュータなどに上記動作が可能なＡＰＩ形式のプログラムによって本コミュニティシステムが構築されていてもよい。
【図面の簡単な説明】
【０１６２】
【図１】本願に係る一実施形態のコミュニティネットワークシステムのシステム構成を示す構成図である。
【図２】一実施形態のコミュニティネットワークシステムにおけるシステム概要を説明するための図である。
【図３】一実施形態の管理サーバ装置の構成を示すブロック図である。
【図４】一実施形態の管理サーバ装置における贈呈品管理処理を示すフローチャート（Ｉ）である。
【図５】一実施形態の管理サーバ装置における贈呈品管理処理を示すフローチャート（II）である。
【図６】一実施形態の端末装置における贈呈品決定処理を示すフローチャートである。
【図７】一実施形態の端末装置および注文サーバ装置における贈呈品決定処理を示すフローチャートである。
【符号の説明】
【０１６３】
Ｓ  …  ネットワークシステム
１００  …  端末装置
２００  …  管理サーバ装置
２１０  …  通信制御部
２２０  …  データベース
２３０  …  システム制御部
２４０  …  Ｗｅｂページ管理部
２５０  …  記念日判定部
２６０  …  贈呈決定情報生成部
２７０  …  贈呈決定部
２８０  …  接続ＩＤ生成部
２９０  …  ユーザ情報管理部
３００  …  注文サーバ装置
４００  …  決済サーバ装置
【図１】
2008134946.tif 000003
【図２】
2008134946.tif 000004
【図３】
2008134946.tif 000005
【図４】
2008134946.tif 000006
【図５】
2008134946.tif 000007
【図６】
2008134946.tif 000008
【図７】
2008134946.tif 000009